(57)【要約】【課題】  多種のメモリカードに適用可能なコンネクターの設計を提供する。【解決手段】  絶縁ベース１の前側端に並列排列でSD／MMCおよびXDのメモリカードの挿入スロット１１を設置し、SD／MMCおよびXDのメモリカードの挿入スロット１１の一側に、止めユニット１４およびアースユニット１５があり、それに対して絶縁ベース１の後側端に並列排列でMSおよびXDのメモリカードの挿入スロット１２を設置し、各メモリカードの挿入スロット１２にメモリカードの型式に合わせる端子グループ２を設置する多種のメモリカードに適用可能なコンネクターである。【選択図】    図１
0003101824.tif 000002
【実用新案登録請求の範囲】
【請求項１】
多種のメモリカードに通用可能なコンネクターにおいて、主に、絶縁ベースおよびいくつ端子グループから組成され、
絶縁ベースはメモリカードを挿入する台座であり、その先端に並列排列で二つの挿入スロットを設け、後端まで貫通し、その一つの挿入スロットはSD、MMC、SWCメモリカードの挿入箇所であり、内底面の前段に、SD、MMCメモリカードの導き接点数量および位置に対応した端子グループがあり、端子グループの各導き接続端子はスロット底部の前段に配置され、挿入スロットの内底面の後段に、SWCメモリカードの導き接点数量および位置に対応した端子グループがあり、端子グループの各導き接続端子はスロット底部の後段に配置され、それに対してもう一つ挿入スロットはXD、MSメモリカードの挿入箇所であり、内底面の前段にXDメモリカードの導き接点数量および位置に対応した端子グループがあり、端子グループの各導き接続端子はスロット底部の前段に配置され、挿入スロットの内底面の後段に、MSメモリカードの導き接点数量および位置に対応した端子グループがあり、端子グループの各導き接続端子はスロット底部の後段に配置され、SD、MMC、XD、SMC、MSなど五種のメモリカードにも通用可能なコンネクターを組成し、それらを同時に又は個別に挿入して使用することができることを特徴とする多種のメモリカードに適用可能なコンネクター。
【請求項２】
各端子グループはいくつかの金属材質の導き接続端子から排列配置で組成され、各導き接続端子はそれぞれくの字形の接触端および垂直に折り曲げられる半田付け接続端を持ち、二つのスロットにはそれぞれ各導き接続端子を入れる端子溝が設けられていることを特徴とする請求項１に記載の多種のメモリカードに適用可能なコンネクター。
【請求項３】
SD/MMCメモリカードの片側にワンセットSDメモリカードの止めユニットおよびワンセットアースユニット（１５）を設置し、止めユニット、アースユニットはそれぞれ転換接続プレートおよび接触プレートから並列排列で組成され、転換接続プレートの先端から導き接続端が延ばされるが、該プレートの底端には折り曲げるように半田付け端があり、接触プレートの底端に半田付け端が折り曲げるように配置され、くの字形の導き接続端が挿入スロットまで突出してSDメモリカードを挿入する止めポイントおよびアースの接触部になることを特徴とする請求項１に記載の多種のメモリカードに適用可能なコンネクター。
【請求項４】
SD／MMCメモリカードの挿入スロットの別側およびスロットの底面にはそれぞれワンセットの検知端子を設け、その一側の検知端子は転換接続プレート、接触プレートを含み、転換接続プレートの先端から導き接続端が延ばされるが、該プレートの底端には折り曲げるように半田付け端があり、接触プレートの先端からく形導き接続端が延ばされ、接触プレートの底端に半田付け端が折り曲げるように配置され、挿入スロットの別側に設置することによりくの字形の導き接続端を導き接続端の上面に配置し、スロットの底面の検知端子も二つの端子から組成され、前端のくの字形の導き接続端および後端の半田付け端を具有することを特徴とする請求項１に記載の多種のメモリカードに適用可能なコンネクター。
【請求項５】
SMC端子グループの一側に止めユニットを設け、下転換接続プレートおよび上接触プレートから組成され、SMCメモリカードを挿入しているときに位置決めの判定機能を発揮することを特徴とする請求項１に記載の多種のメモリカードに適用可能なコンネクター。
【考案の詳細な説明】
【技術分野】
【０００１】
本考案は、多種のメモリカードに適用可能なコンネクターに関する設計であり、特に、SD、MMC、XD、SMC、MSなど５種のメモリカードに適用可能なコンネクターの結構設計を指す。
【背景技術】
【０００２】
現今、市場にでている情報、電子、家電製品などはデーターのアクセス機能により、応用の範囲および用量を拡充させる。データーのアクセスはほぼ主流のメモリカードのモードに依頼する。マーケットによく見えるメモリカードの種類は各業者の研究開発で、規格および型式が約五種ある。つまり、MS（Memory  Stick）、SD（Security  Digital）、MMC（Multi―Media  Card）、SMC（Smart  Media（登録商標）  Card）、XDなどが挙げられる。それら五種のメモリカードは外観のサイズが異なるばかりでなく、ピンの数量（導き接点の数量）も同じではない。それにより、情報電子製品のメーカは一種の電気製品ならば、ただ一種のメモリカードを選択、使用し、二種以上のメモリカードを適用できない。その原因を追究すると、従来のメモリカードの既存のコンネクター結構によると判断できるので、コンネクターの相関業者は皆、多種のメモリカードに適用可能なコンネクターを開発、製造している。
【０００３】
しかし、従来のメモリカードの既存のコンネクターの結構形態はすべて、矩形形状の絶縁ベースの先端に、いくつかの挿入スロットを階級状に設けている。挿入スロットの内部上下面に、それぞれ端子グループを設置して、異なる型式のメモリカードに適用させる。その結果、アセンブリしたメモリカードのコンネクターは相当な厚さを具有し、PDA、電子字引、マイクロコンピュータなど軽くて薄い電子製品に適用しにくい。また、挿入スロットが相互に階級状に重畳するように設けられるので、同一コンネクターには、同時に二枚のメモリカードを挿入して使用することができなく、拡充の効果は極めて限られる。
【考案の開示】
【考案が解決しようとする課題】
【０００４】
したがって、本考案の主な目的は多種のメモリカードに適用可能なコンネクターの設計を提供することにある。
【課題を解決するための手段】
【０００５】
上記課題を解決するための本考案の絶縁ベースの前側端に、並列排列でSD／MMCおよびXDのメモリカードの挿入スロットを設置する。SD／MMCおよびXDのメモリカードの挿入スロットの一側に、止めプレートおよびアースプレートがある。それに対して、絶縁ベースの後側端に、並列排列でMSおよびXDのメモリカードの挿入スロットを設置する。しかも、各メモリカードの挿入スロットに、メモリカードの型式に合わせる端子グループを設置する。よって、五種のメモリカードに適用でき、軽くて薄い体積のメモリカード用のコンネクターが組成される。
【考案を実施するための最良の形態】
【０００６】
本考案の目的、特徴および効果などを、以下にさらに具体的な実施例に図面をあわせて詳しく説明する。
まずは図１〜図３を参照する。本考案の一実施例による多種のメモリカードに適用可能なコンネクターの設計は絶縁ベース１およびいくつかの端子グループから組成される。
【０００７】
絶縁ベース１は図２に示すように、カードリーダー又は電子製品にアセンブリされ、メモリカードを挿入する扁形台座である。その先端に、並列排列で二つの挿入スロット１１、１２を設けて、後端まで貫通する。その一つの挿入スロット１１はSD、MMC、SWCメモリカードの挿入箇所であるが、もう一つの挿入スロット１２はXD、MSメモリカードの挿入箇所である。述べた挿入スロット１１の内底面の前段に、SD、MMCメモリカードの導き接点数量および位置に対応した端子グループ２がある。端子グループ２の各導き接続端子２１はおりよくスロット底部の前段に配置される。挿入スロット１１の内底面の後段に、SWCメモリカードの導き接点数量および位置に対応した端子グループ３がある。端子グループ３の各導き接続端子３１はおりよくスロット底部の後段に配置される。それに対して、述べた挿入スロット１２の内底面の前段に、XDメモリカードの導き接点数量および位置に対応した端子グループ４がある。端子グループ４の各導き接続端子４１はおりよくスロット底部の前段に配置される。挿入スロット１２の内底面の後段に、MSメモリカードの導き接点数量および位置に対応した端子グループ５がある。端子グループ５の各導き接続端子５１はおりよくスロット底部の後段に配置される。そうすると、SD、MMC、XD、SMC、MSなど五種のメモリカードに適用可能なコンネクターを組成して、それらを図４〜図６に示すように、同時に又は個別に挿入して使用することができる。
【０００８】
前掲のように、本考案の一実施例による多種のメモリカードに適用可能なコンネクターにはそれぞれ二つの挿入スロット１１、１２の前後端に、ＳＤ／MMC、SMC、XD、MSなど五種のメモリカードに対応した端子グループ２〜５が設けられている。各端子グループ２、３、４、５はいくつかの金属材質の導き接続端子２１、３１、４１、５１から、排列配置に組成される。各導き接続端子２１、３１、４１、５１はそれぞれく形の接触端２２、３２、４２、５２および垂直に折り曲げられる半田付け接続端２３、３３、４３、５３を持つ。それで、図３に示すように、前述の二つのスロット１１、１２には、それぞれ各導き接続端子２１、３１、４１、５１を入れる端子溝１３を設ける。導き接続端子２１、４１を入れたあとで、図３に示すように、接触端２２、４２が挿入スロット１１、１２底面の前段に配置するという結構が形成される。しかも、半田付け端２３、４３が挿入スロット１１、１２のフロントエッジまで伸ばされる。それに対して、導き接続端子３１、５１を入れたあとで、接触端３２、５２が挿入スロット１１、１２底面の後段に配置するという結構が形成される。しかも、半田付け端３３、５３が挿入スロット１１、１２のバックエッジまで伸ばされる。結局、半田付け端２３、３３、４３、５３を経由して、回路基板に半田付けをする以外に、接触端２２、３２、４２、５２を経由して、挿入したＳＤ／MMC、SMC、XD、MSなど五種のメモリカードとそれぞれ接触して通電することもできる。
【０００９】
その次に、本考案の一実施例による多種のメモリカードに適用可能なコンネクターにより、SD/MMCメモリカードの挿入スロット１１の片側に、ワンセットSDメモリカードの止めユニット１４およびワンセットアースユニット１５を設置する（図２、図３を参照）。止めユニット１４、アースユニット１５はそれぞれ転換接続プレート１４１、１５１および接触プレート１４２、１５２から、並列排列で組成される。転換接続プレート１４１、１５１の先端から、導き接続端１４３、１５３が延ばされるが、該プレート１４１、１５１の底端には、折り曲げるように、半田付け端１４４、１５４がある。しかも、接触プレート１４２、１５２の底端に、折り曲げるように、半田付け端１４６、１５６がある。それらをそれぞれSD／MMCメモリカードの挿入スロット１１の一側に設置するので、く形導き接続端１４５、１５５が挿入スロット１１まで突出してある。よって、SDメモリカードを挿入する止めポイントをして、アースで、電磁の干渉を排除する効果を遂げる。
【００１０】
また、本考案の一実施例による多種のメモリカードに適用可能なコンネクターにより、SD／MMCメモリカードの挿入スロット１１の別側およびスロットの底面を選定して、それぞれワンセットの検知端子１６、１７を図２、図３に示すように設ける。検知端子１６は転換接続プレート１６１、接触プレート１６２を含む。転換接続プレート１６１の先端から、導き接続端１６３が延ばされるが、該プレート１６１の底端には、折り曲げるように、半田付け端１６４がある。接触プレート１６２の先端から、く形導き接続端１６５が延ばされる。しかも、接触プレート１６２の底端に、半田付け端１６６が折り曲げるように配置される。そのように、挿入スロット１１の別側に設置することにより、く形導き接続端１６５を導き接続端１６３の上面に配置する。検知端子１７は二つの端子から組成され、前端のく形導き接続端１７１および後端の半田付け端１７２を具有する。それで、SMCメモリカードを挿入しているうちに、検知端子１６、１７の下押しをあわせて、錯誤判断を防止する。勿論、本考案により、SMC端子グループ３の一側に、図２、図３に示すように、止めユニット１８を設けてもよい。それは下転換接続プレート１８１および上接触プレート１８２から組成される。そして、SMCメモリカードを挿入しているうちに、位置決めの判定機能を発揮する。
【００１１】
本考案の一実施例による多種のメモリカードに適用可能なコンネクターの絶縁ベース１、挿入スロット１１、１２および各端子グループから組成される結構設計を用いると、ＳＤ／MMC、SMC、XD、MSなど五種のメモリカードに適用可能なコンネクターが図７に示すように構成される。ゆえに、本考案は従来から既存の重畳層の四種メモリカードの通用コンネクターより、応用範囲がさらに広い。また、本考案は並列排列で、挿入スロット１１、１２を設置し、前後端に、各端子グループ２、３、４、５を配置するので、従来の重畳層コンネクターが厚くなり過ぎ、重畳追加できず、五種のメモリカードが挿入できないなど欠陥を改善する。要するに、本考案のコンネクターは外観体積が軽くて薄いので、利便にコンパクトカードリーダー、軽くて薄いPDA、電子字引など電子情報製品に応用することができる。
【００１２】
本考案の主な目的は多種のメモリカードに適用可能なコンネクターの設計を提供することにある。絶縁ベースの結構および内部のいくつ端子グループの設置により、ＳＤ、MMC、SMC、XD、MSなど五種のメモリカードにも適用でき、同時に挿入して、設けられる。そして、電子製品に応用されるメモリカードの範囲を拡大させるばかりでなく、体積もコンパクトであり、軽くて薄いという効果がある。
【図面の簡単な説明】
【００１３】
【図１】本考案の一実施例による多種のメモリカードに適用可能なコンネクターの組成状態を示す外観斜視図である。
【図２】本考案の一実施例による多種のメモリカードに適用可能なコンネクターの組成状態を示す外観斜視図である。
【図３】本考案の一実施例による多種のメモリカードに適用可能なコンネクターを示す分解斜視図である。
【図４】本考案の一実施例による多種のメモリカードに適用可能なコンネクターの組成状態を示す上視図である。
【図５】本考案の一実施例による多種のメモリカードに適用可能なコンネクターの組成状態を示す前視図である。
【図６】本考案の一実施例による多種のメモリカードに適用可能なコンネクターの組成状態を示す後視図である。
【図７】本考案の一実施例による多種のメモリカードに適用可能なコンネクターのメモリカードを挿入する動作を示す外観斜視図である。
【符号の説明】
【００１４】
１  絶縁ベース、１１、１２  挿入スロット、１３  端子溝、１４  止めユニット、１４１、１５１  転換接続プレート、１４２、１５２  接触プレート、１４３、１５３  導き接続端、１４４、１５４  半田付け接続端、１４５、１５５  導き接続端、１４６、１５６  半田付け接続端、１５  アースユニット、１６、１７  検知端子、１６１  転換接続プレート、１６２  接触プレート、１６３、１６５、１７１  導き接続端、１６４、１６６、１７２  半田付け接続端、１８  止めユニット、１８１  転換接続プレート、１８２  接触プレート、２、３、４、５  端子グループ、２１、３１、４１、６１  導き接続端子、２２、３２、４２、５２  接触端子、２３、３３、４３、５３  半田付け端
【図１】
0003101824.tif 000003
【図２】
0003101824.tif 000004
【図３】
0003101824.tif 000005
【図４】
0003101824.tif 000006
【図５】
0003101824.tif 000007
【図６】
0003101824.tif 000008
【図７】
0003101824.tif 000009